【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
スポーツトレーニングベルトにおいて、
使用者のウエスト周りに巻き付けるよう構成される織物の第１のバンドであって、第１の端部と、第２の端部と、内側面と、外側面と、上縁部と、下縁部とを有し、本質的に方形の形状を有する第１のバンドと、
第１および第２のファスナ部材を具える第１の対のファスナであって、前記第１のファスナ部材が、前記バンドの第１の端部に取り付けられ、前記第２のファスナ部材が、前記バンドの第２の端部に取り付けられ、これにより前記第１のバンドの第１の端部と前記第１のバンドの第２の端部とが、互いに着脱固定可能な第１の対のファスナと、
前記第１のバンドの上縁部に取り付けられ、前記第１のバンドの中央から略等距離離れている第１のリストストラップファスナ対の第１の部材と第２のリストストラップファスナ対の第１の部材と、
前記第１のバンドの下縁部に取り付けられ、前記第１のバンドの中央から略等距離離れているフットストラップファスナ対の第１の部材Ａと第１の部材Ｂと、
各々が長さ調節可能であり、かつ各々がさらに、着脱不能で、固定された長さの、調節不能な弾性部材を具える一対のリストストラップであって、前記各リストストラップが、第１の端部と第２の端部とを有し、前記各リストストラップの第１の端部が、前記第１のバンドの上縁部に取り付けられるいずれかのリストストラップファスナの第１の部材のいずれか１つに着脱固定可能に係合するよう適合したリストストラップファスナの第２の部材を有し、前記各リストストラップの第２の端部が、前記各リストストラップの第２の端部を使用者のリストに固定するための調節可能なループを有し、前記ループがさらに、前記使用者の親指を囲むための親指ループを具え、前記ループと前記親指ループとが、手のひらと手のうらとを基本的に覆わず、前記リストストラップの全長が、約８インチ乃至約２２インチで調節可能であり、かつ前記リストストラップの長さが、手が３０秒間最大引張位置に置かれた場合、前記手が引きつらないよう調節される一対のリストストラップと、
１本の長さ調節可能なフットストラップであって、着脱不能で、固定された長さの、調節不能な弾性部材を具え、第１の端部と第２の端部とを有し、前記フットストラップの第１の端部が、前記第１のバンドの下縁部に取り付けられる前記第１の部材ＡまたはＢのいずれか１つと着脱固定可能に係合するよう適合したフットストラップファスナの第２の部材を有し、前記フットストラップの第２の端部が、前記フットストラップの第２の端部を前記使用者の足に固定するために適合し、前記フットストラップが、固定される足のかかとに前記フットストラップの弾性部材を配置するよう適合したフットストラップとを具えることを特徴とするスポーツトレーニングベルト。
【請求項２】
請求項１に記載のスポーツトレーニングベルトがさらに、前記第１のバンドの上縁部に取り付けられる第３のリストストラップファスナ対の第１の部材と、第４のリストストラップファスナ対の第１の部材とを具え、前記第３および第４のリストストラップファスナ対の部材が、前記第１のバンドの中央から略等距離離れており、前記第１のリストストラップファスナの第１の部材の近くであって、前記第２のリストストラップファスナの第１の部材の近くに位置することを特徴とするスポーツトレーニングベルト。
【請求項３】
請求項２に記載のスポーツトレーニングベルトがさらに、使用者のウエスト周りに巻き付けられるよう構成される伸縮性織物の第２のバンドを具え、前記第２のバンドが、第１の端部と、第２の端部と、内側面と、外側面とを有し、前記第２のバンドが、本質的に方形の形状を有し、前記第２のバンドの内側面と前記第１のバンドの外側面とが互いに向き合うような取付ポイントで前記第１のバンドにしっかりと取り付けられ、前記第２のバンドの第１の端部が、前記第１のバンドの第１の端部に着脱可能に取り付けられ、前記第２のバンドの第２の端部が、前記第１のバンドの第２の端部に着脱可能に取り付けられることを特徴とするスポーツトレーニングベルト。
【請求項４】
請求項３に記載のスポーツトレーニングベルトにおいて、前記取付ポイントが、前記第１のバンドの略中央と、前記第２のバンドの略中央とであることを特徴とするスポーツトレーニングベルト。
【請求項５】
請求項１に記載のスポーツトレーニングベルトにおいて、前記フットストラップの第２の端部が、足の甲およびかかとに固定されるよう適合することを特徴とするスポーツトレーニングベルト。
【請求項６】
請求項１に記載のスポーツトレーニングベルトがさらに、前記第１のバンドに取り付けられる１以上の補強材を含むことを特徴とするスポーツトレーニングベルト。
【請求項７】
請求項６に記載のスポーツトレーニングベルトにおいて、前記補強材が、前記第１のバンドの長い寸法方向にほぼ垂直に配置されることを特徴とするスポーツトレーニングベルト。
【請求項８】
請求項７に記載のスポーツトレーニングベルトにおいて、前記補強材の１以上が、いずれかの前記リストストラップファスナの第１の部材に整列するよう配置されるか、あるいはいずれかの前記フットストラップファスナの第１の部材に整列するよう配置されることを特徴とするスポーツトレーニングベルト。
【請求項９】
請求項１に記載のスポーツトレーニングベルトにおいて、前記各リストストラップの弾性部材の非伸張の長さが、約５インチ乃至約１２インチであることを特徴とするスポーツトレーニングベルト。
【請求項１０】
請求項９に記載のスポーツトレーニングベルトにおいて、前記各リストストラップの弾性部材の非伸張の長さが、約７インチ乃至約１０インチであることを特徴とするスポーツトレーニングベルト。
【請求項１１】
請求項１に記載のスポーツトレーニングベルトにおいて、前記フットストラップの弾性部材の非伸張の長さが、約７インチ乃至約３５インチであることを特徴とするスポーツトレーニングベルト。
【請求項１２】
請求項１１に記載のスポーツトレーニングベルトにおいて、前記フットストラップの弾性部材の非伸張の長さが、約１０インチ乃至約３０インチであることを特徴とするスポーツトレーニングベルト。
【請求項１３】
請求項１に記載のスポーツトレーニングベルトにおいて、前記各フットストラップの全長が、約１１インチ乃至約３８インチで調節可能であることを特徴とするスポーツトレーニングベルト。
【請求項１４】
請求項１１に記載のスポーツトレーニングベルトにおいて、前記フットストラップの弾性部材が、約１／８インチ乃至約５／１６インチの範囲の直径を有することを特徴とするスポーツトレーニングベルト。
【請求項１５】
請求項９に記載のスポーツトレーニングベルトにおいて、前記各リストストラップの各弾性部材が、約１／８インチ乃至約５／１６インチの範囲の直径を有することを特徴とするスポーツトレーニングベルト。
【請求項１６】
スポーツトレーニングベルトにおいて、
使用者のウエスト周りに巻き付けるよう構成される織物の第１のバンドであって、第１の端部と、第２の端部と、内側面と、外側面と、上縁部と、下縁部とを有し、本質的に方形の形状を有する第１のバンドと、
第１および第２のファスナ部材を具える第１の対のファスナであって、前記第１のファスナ部材が、前記バンドの第１の端部に取り付けられ、前記第２のファスナ部材が、前記バンドの第２の端部に取り付けられ、これにより前記第１のバンドの第１の端部と前記第１のバンドの第２の端部とが、互いに着脱固定可能な第１の対のファスナと、
前記第１のバンドの上縁部に取り付けられ、前記第１のバンドの中央から略等距離離れている第１のリストストラップファスナ対の第１の部材と第２のリストストラップファスナ対の第１の部材と、
前記第１のバンドの下縁部に取り付けられ、前記第１のバンドの中央から略等距離離れているフットストラップファスナ対の第１の部材Ａと第１の部材Ｂと、
各々が第１の端部と第２の端部とを有する弾性部材を具える一対のリストストラップであって、前記各リストストラップの第１の端部が、前記第１のバンドの上縁部に取り付けられるいずれかのリストストラップファスナの第１の部材のいずれか１つに着脱固定可能に係合するよう適合したリストストラップファスナの第２の部材を有し、前記各リストストラップの第２の端部が、前記各リストストラップの第２の端部を使用者のリストに固定するための調節可能なループを有し、前記ループがさらに、前記使用者の親指を囲むための親指ループを具え、前記ループと前記親指ループとが、手のひらと手のうらを基本的に覆わない一対のリストストラップと、
第１の端部と第２の端部とを有する弾性部材を具える１本のフットストラップであって、前記フットストラップの第１の端部が、前記第１のバンドの下縁部に取り付けられる前記第１の部材ＡまたはＢのいずれか１つと着脱固定可能に係合するよう適合したフットストラップファスナの第２の部材を有し、前記フットストラップの第２の端部が、前記フットストラップの第２の端部を前記使用者の足に固定するために適合し、前記フットストラップが、固定される足のかかとに前記フットストラップの弾性部材を配置するよう適合したフットストラップとを具え、
前記各リストストラップの各弾性部材の非伸張の長さが、約５インチ乃至約１２インチの範囲であり、約１／８乃至約５／１６インチの範囲の直径を有し、前記各リストストラップが、約８インチ乃至約２２インチで調節可能な全長を有し、前記リストストラップの長さは、手が最大引張位置にある場合に各リストストラップが１０．４５ポンド以下の張力となるよう調節され、
前記フットストラップの弾性部材の非伸長の長さが、約７インチ乃至約３５インチの範囲であり、前記フットストラップが、約１１インチ乃至約３８インチで調節可能な全長を有することを特徴とするスポーツトレーニングベルト。
【請求項１７】
スポーツにおける技術を向上させる方法であって、請求項１のスポーツトレーニングベルトの使用を１日に約２０回以下反復することを含み、この繰り返しは、スポーツをしながら実際に用いられる動きを実行する、プレーヤーによってなされる動きであることを特徴とする方法。